(57)【要約】【課題】底板の角部と熱交換器の曲げ部との間の隙間における凍り付きを抑制することができる空気調和機の室外機を提供する。【解決手段】本実施形態に係る空気調和機の室外機は、室外機本体の底部を構成するものであって、角部を有する底板と、前記底板の上部に設けられ、前記底板の角部に対向する部分に円弧状に曲げられている曲げ部を有する熱交換器と、前記底板の角部と前記熱交換器の曲げ部との間の隙間に設けられる断熱材と、を備える。【選択図】図３
2020186840.tif 000002
【特許請求の範囲】
【請求項１】
室外機本体の底部を構成するものであって、角部を有する底板と、
前記底板の上部に設けられ、前記底板の角部に対向する部分に円弧状に曲げられている曲げ部を有する熱交換器と、
前記底板の角部と前記熱交換器の曲げ部との間の隙間に設けられる断熱材と、
を備える空気調和機の室外機。
【請求項２】
前記断熱材は、凹部を有する請求項１に記載の空気調和機の室外機。
【発明の詳細な説明】
【技術分野】
【０００１】
本発明の実施形態は、空気調和機の室外機に関する。
【背景技術】
【０００２】
例えば特許文献１に開示されているように、空気調和機の室外機は、室外機本体の底部を構成する底板の上部に熱交換器を設ける構成となっている。空気調和機の室外機において、底板は、角部を有するほぼ矩形状に構成され、これに対して、熱交換器は、途中部分が円弧状に曲げられた曲げ部を有する構成となっている。そして、熱交換器は、曲げ部を底板の角部に対向させた状態で配置される。そのため、底板の角部と熱交換器の曲げ部との間に隙間が形成される構造となっている。
【先行技術文献】
【特許文献】
【０００３】
【特許文献１】特開２００４−６９２２０号公報
【発明の概要】
【発明が解決しようとする課題】
【０００４】
例えば、寒冷地などにおいては、上述した隙間に積もった雪が凍り付き、その凍り付いた雪が蓄積されることで熱交換器に悪影響を及ぼすことが懸念される。また、熱交換器を除霜することにより発生した除霜水が上述した隙間において凍り付き、その凍り付いた除霜水が蓄積されることで熱交換器に悪影響を及ぼすことも懸念される。
【０００５】
そこで、本実施形態は、底板の角部と熱交換器の曲げ部との間の隙間における凍り付きを抑制することができる空気調和機の室外機を提供する。
【課題を解決するための手段】
【０００６】
本実施形態に係る空気調和機の室外機は、室外機本体の底部を構成するものであって、角部を有する底板と、前記底板の上部に設けられ、前記底板の角部に対向する部分に円弧状に曲げられている曲げ部を有する熱交換器と、前記底板の角部と前記熱交換器の曲げ部との間の隙間に設けられる断熱材と、を備える。
【図面の簡単な説明】
【０００７】
【図１】本実施形態に係る空気調和機の室外機の構成例を概略的に示す斜視図
【図２】本実施形態に係る空気調和機の室外機における底板の角部およびその周辺部分を拡大して示すものであって、底板の角部と熱交換器の曲げ部との間の隙間に断熱材が配置されていない状態を概略的に示す斜視図
【図３】本実施形態に係る空気調和機の室外機における底板の角部およびその周辺部分を拡大して示すものであって、底板の角部と熱交換器の曲げ部との間の隙間に断熱材が配置されている状態を概略的に示す斜視図
【図４】本実施形態に係る断熱材の構成例を概略的に示す図
【発明を実施するための形態】
【０００８】
以下、空気調和機の室外機に係る一実施形態について図面を参照しながら説明する。図１に例示する空気調和機の室外機１０は、屋内に設けられる図示しない室内機とともに空気調和機を構成するものであって、その外郭を構成するほぼ矩形状の室外機本体１１の底部が底板１２により構成されている。底板１２は、底面が浅いほぼ矩形の容器状をなしている。底板１２の上部には、図示しない圧縮機、アキュームレータ、送風ファンなどが設けられている。また、底板１２の上部には、熱交換器１３が設けられている。
【０００９】
熱交換器１３は、図示しない圧縮機やアキュームレータなどとともに周知の冷凍サイクルを構築している。そして、熱交換器１３は、図示しない送風ファンによって送風される空気と熱交換する。熱交換器１３は、室外機本体１１の後面に沿う後面側熱交換部１３Ａと室外機本体１１の側面に沿う側面側熱交換部１３Ｂとの間に曲げ部１３Ｃを有している。曲げ部１３Ｃは、後面側熱交換部１３Ａと側面側熱交換部１３Ｂとを連結する滑らかな円弧状の曲げ部となっている。
【００１０】
図２に例示するように、底板１２は、その縁部が上方に折り曲げられており、これにより壁部１２Ａが構成されている。また、底板１２の角部１２Ｂにおいて、壁部１２Ａは、熱交換器１３の曲げ部１３Ｃの曲げ角度よりも直角に近い形状となっている。そして、底板１２の上部において、熱交換器１３は、曲げ部１３Ｃを底板１２の角部１２Ｂに対向させた状態で配置される。そのため、底板１２の角部１２Ｂと熱交換器１３の曲げ部１３Ｃとの間に隙間Ｇが形成される構造となっている。なお、底板１２は、隙間Ｇの底部となる部分に、当該底板１２を貫通する水抜き孔１２Ｃを備えている。
【００１１】
そして、図３に例示するように、室外機１０は、この隙間Ｇに断熱材１４を備えた構成となっている。断熱材１４は、例えば、発泡スチロールや発泡ウレタンなどの断熱材料により構成されている。
【００１２】
図４に例示するように、断熱材１４は、外縁部１４Ａおよび内縁部１４Ｂを備えている。外縁部１４Ａは、底板１２の角部１２Ｂにおける壁部１２Ａの形状に応じた直角に近い形状となっている。一方、内縁部１４Ｂは、熱交換器１３の曲げ部１３Ｃの形状に応じた滑らかな円弧状の形状となっている。さらに、断熱材１４は、凹部１４Ｃを備えている。この場合、凹部１４Ｃは、内縁部１４Ｂのほぼ中央部に設けられており、断熱材１４が隙間Ｇ内に取り付けられた状態において、熱交換器１３の曲げ部１３Ｃのほぼ中央部に対向するようになっている。また、凹部１４Ｃは、断熱材１４が隙間Ｇ内に取り付けられた状態において、底板１２の水抜き孔１２Ｃの上方に位置するようになっている。また、この場合、凹部１４Ｃは、矩形状に切り欠かれた凹部となっている。
【００１３】
以上に説明した空気調和機の室外機１０によれば、底板１２の角部１２Ｂと熱交換器１３の曲げ部１３Ｃとの間に形成される隙間Ｇに断熱材１４を備えている。この構成によれば、底板１２の角部１２Ｂと熱交換器１３の曲げ部１３Ｃとの間の隙間Ｇにおける凍り付きを、断熱材１４による断熱作用によって抑制することができる。よって、隙間Ｇにおける凍り付きが熱交換器１３に悪影響を及ぼすことを回避することができる。
【００１４】
また、室外機１０によれば、断熱材１４は、凹部１４Ｃを有している。この構成によれば、断熱材１４の上部に存在する水を凹部１４Ｃおよび水抜き孔１２Ｃを通して底板１２の下方に効率良く排出することができ、当該隙間Ｇ内における凍り付きを一層効果的に抑制することができる。
【００１５】
なお、本実施形態は、上述した一実施形態に限定されるものではなく、その要旨を逸脱しない範囲で種々の変更や拡張を行うことができる。例えば、断熱材１４に形成する凹部１４Ｃの形状、大きさ、位置、数などは適宜変更して実施することができる。また、断熱材１４は、凹部１４Ｃを備えない構成としてもよい。また、断熱材１４の形状や大きさなどは、隙間Ｇの形状や大きさなどに応じて適宜変更して実施することができる。また、本実施形態は、水が凍り付くような寒冷地において用いられる室外機に好適であるが、水が凍り付かない環境において用いられる室外機にも適用することができる。
【００１６】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００１７】
図面中、１０は空気調和機の室外機、１１は室外機本体、１２は底板、１２Ｂは底板の角部、１３は熱交換器、１３Ｃは熱交換器の曲げ部、１４は断熱材、１４Ｃは凹部、を示す。
【図１】
2020186840.tif 000003
【図２】
2020186840.tif 000004
【図３】
2020186840.tif 000005
【図４】
2020186840.tif 000006